(57)【要約】【課題】屋根の棟部に湿式工法で積み重ねて施工するのし瓦において、脱落を防止する機能を備えながら、成形性を向上できるようにする。【解決手段】  のし瓦１３を積み重ねたときに上側になるのし瓦１３の裏面側突部２１を下側になるのし瓦１３の表面側突部２０に係止させることで、のし瓦１３の脱落やずれを防止する。この場合、脱落防止用の各突部２０，２１を断面略一定形状でのし瓦１３のほぼ全長に亘って設けることで、のし瓦１３をプレス成形する成形型のキャビティ形状を簡単化して成形不良の発生を低減させる。更に、表面側突部２０を境にしてのし瓦１３の表面に段差を設けることで、表面側突部２０をプレス成形するキャビティの片側の深さ寸法を浅くして、のし瓦１３（表面側突部２０）の成形性を向上させると共に、表面側突部２０を境にして設けた段差を水返しとして機能させることで、防水性を向上させる。【選択図】図１
2007332561.tif 000002
【特許請求の範囲】
【請求項１】
屋根の棟部に湿式工法で積み重ねて施工するのし瓦において、
前記のし瓦の表面側と裏面側には、ほぼ平行方向に延びる突部が断面略一定形状で該のし瓦のほぼ全長に亘って設けられ、前記棟部に積み重ねたときに上側になるのし瓦の裏面側の突部を下側になるのし瓦の表面側の突部に係止させることで脱落を防止するように形成されていることを特徴とするのし瓦。
【請求項２】
前記突部を境にして前記のし瓦の表面及び／又は裏面に段差が設けられていることを特徴とする請求項１に記載ののし瓦。
【請求項３】
屋根の棟部に湿式工法で積み重ねて施工するのし瓦において、
前記のし瓦の表面側と裏面側には、ほぼ平行方向に延びる突部が設けられていると共に、該突部を境にして前記のし瓦の表面及び／又は裏面に段差が設けられ、前記棟部に積み重ねたときに上側になるのし瓦の裏面側の突部を下側になるのし瓦の表面側の突部に係止させることで脱落を防止するように形成されていることを特徴とするのし瓦。
【請求項４】
前記棟部に積み重ねたときに下側になるのし瓦の表面側の突部を上側になるのし瓦の裏面に当接させることで積み重ねたのし瓦の平行度を確保するように形成されていることを特徴とする請求項１乃至３のいずれかに記載ののし瓦。
【請求項５】
前記棟部に積み重ねたときに上側になるのし瓦の裏面側の突部を下側になるのし瓦の表面に当接させることで積み重ねたのし瓦の平行度を確保するように形成されていることを特徴とする請求項１乃至３のいずれかに記載ののし瓦。
【請求項６】
前記棟部に積み重ねたときに下側になるのし瓦の表面側の突部を上側になるのし瓦の裏面側に設けた高さ調整部に当接させることで積み重ねたのし瓦の平行度を確保するように形成されていることを特徴とする請求項１乃至３のいずれかに記載ののし瓦。
【請求項７】
前記棟部に積み重ねたときに上側になるのし瓦の裏面側の突部を下側になるのし瓦の表面側に設けた高さ調整部に当接させることで積み重ねたのし瓦の平行度を確保するように形成されていることを特徴とする請求項１乃至３のいずれかに記載ののし瓦。
【発明の詳細な説明】
【技術分野】
【０００１】
本発明は、屋根の棟部にモルタル、葺き土、発砲樹脂等を用いた湿式工法で積み重ねて施工するのし瓦に関するものである。
【背景技術】
【０００２】
従来、屋根の大棟や隅棟等の棟部に積み重ねるのし瓦は、棟全体（のし瓦及び冠瓦等）を銅線等で縛ったり、各のし瓦を銅線等で一枚一枚緊結したりすることで、地震や台風等でのし瓦が脱落することを防止するようにしていが、これらの施工方法は、非常に手間が掛かるという欠点があった。
【０００３】
そこで、例えば、特許文献１（特開２０００−２７３７６号公報）や特許文献２（実開平５−７７４１３号公報）に記載されているように、のし瓦の表面側と裏面側に、それぞれ突部を設け、棟部にのし瓦を積み重ねたときに上側と下側ののし瓦の突部を係止させることで、のし瓦の脱落を防止するようにしたものがある。
【特許文献１】特開２０００−２７３７６号公報（第１図、第２図等）
【特許文献２】実開平５−７７４１３号公報（第２図、第３図等）
【発明の開示】
【発明が解決しようとする課題】
【０００４】
一般に、のし瓦は、押出成形で一次形状を成形した後に、プレス成形で最終形状を成形するようにしている。しかし、上記特許文献１，２ののし瓦では、脱落防止用の突部を、のし瓦の全長に亘って一様に設けるのではなく、のし瓦の複数箇所に分けて設けるようにしているため、のし瓦をプレス成形する成形型のキャビティ形状が複雑になって成形不良が発生しやすいという欠点がある。
【０００５】
本発明は、このような事情を考慮してなされたものであり、従って本発明の目的は、脱落を防止する機能を備えながら、成形性を向上させることができるのし瓦を提供することにある。
【課題を解決するための手段】
【０００６】
上記目的を達成するために、請求項１に係る発明は、屋根の棟部に湿式工法で積み重ねて施工するのし瓦において、のし瓦の表面側と裏面側に、ほぼ平行方向に延びる突部を断面略一定形状で該のし瓦のほぼ全長に亘って設け、棟部に積み重ねたときに上側になるのし瓦の裏面側の突部を下側になるのし瓦の表面側の突部に係止させることで脱落を防止するように形成したものである。
【０００７】
この構成では、棟部に積み重ねたときに上側になるのし瓦の裏面側の突部を下側になるのし瓦の表面側の突部に係止させることで、地震や台風等でのし瓦が棟部の外側方向へ脱落するのを防止することができる。しかも、脱落防止用の突部を断面略一定形状でのし瓦のほぼ全長に亘って設けるため、脱落防止用の突部を複数箇所に分けて設ける場合に比べて、のし瓦をプレス成形する成形型のキャビティ形状を簡単化することができ、成形不良の発生を低減することができる。更に、プレス成形前の押出成形で突部の形状をある程度成形しておくことも可能となる。
【０００８】
また、一般に、棟部にのし瓦を積み重ねる際には、下側ののし瓦に対して上側ののし瓦を棟部と平行方向に全長寸法の半分ずつずらしながら積み重ねていくため、棟端部では積み重ねたのし瓦の端面を揃えるために、半分に切ったのし瓦を使用する必要がある。本発明ののし瓦は、脱落防止用の突部を断面略一定形状でほぼ全長に亘って設けるため、のし瓦を半分に切った場合や半分以外の寸法に切った場合でも、脱落防止用の突部を必ず残すことができ、脱落防止のために特段の細工を施す必要がないという利点もある。
【０００９】
ところで、脱落防止用の突部の高さ寸法を高くすると、その分、のし瓦をプレス成形する成形型のうちの突部を成形するキャビティの深さ寸法が深くなるため、成形材料（粘土等）が突部を成形するキャビティの先端部に到達しにくくなって、突部を成形しにくくなる可能性がある。
【００１０】
そこで、請求項２，３のように、脱落防止用の突部を境にしてのし瓦の表面及び／又は裏面に段差を設けるようにしても良い。このようにすれば、突部をプレス成形するキャビティの片側の深さ寸法を浅くすることができるため、成形材料（粘土等）が突部を成形するキャビティの先端部に到達しやすくなり、のし瓦（突部）の成形性を向上させることができる。しかも、のし瓦の表面側の突部を境にして設けた段差を水返しとして機能させることで、防水性を向上させることもできる。
【００１１】
従来、モルタル、葺き土、発砲樹脂等を用いた湿式工法でのし瓦を積み重ねて施工する場合には、モルタル、葺き土、発砲樹脂等で各のし瓦の平行度を調整する必要があり、熟練者でないと、のし瓦をほぼ平行に積み重ねることは困難であった。
【００１２】
そこで、請求項４のように、棟部に積み重ねたときに下側になるのし瓦の表面側の突部を上側になるのし瓦の裏面に当接させることで積み重ねたのし瓦の平行度を確保するように形成しても良い。或は、請求項５のように、棟部に積み重ねたときに上側になるのし瓦の裏面側の突部を下側になるのし瓦の表面に当接させることで積み重ねたのし瓦の平行度を確保するように形成しても良い。このようにすれば、モルタル、葺き土、発砲樹脂等で各のし瓦の平行度を調整する必要がなく、熟練者でなくても、積み重ねたのし瓦の平行度を簡単に確保することができ、のし瓦の施工を容易に行うことができる。
【００１３】
また、請求項６のように、棟部に積み重ねたときに下側になるのし瓦の表面側の突部を上側になるのし瓦の裏面側に設けた高さ調整部に当接させることで積み重ねたのし瓦の平行度を確保するように形成しても良い。或は、請求項７のように、棟部に積み重ねたときに上側になるのし瓦の裏面側の突部を下側になるのし瓦の表面側に設けた高さ調整部に当接させることで積み重ねたのし瓦の平行度を確保するように形成しても良い。このようにしても、積み重ねたのし瓦の平行度を簡単に確保することができ、のし瓦の施工を容易に行うことができる。
【発明を実施するための最良の形態】
【００１４】
以下、本発明を実施するための最良の形態を４つの実施例１〜４を用いて説明する。
【実施例１】
【００１５】
本発明の実施例１を図１乃至図４に基づいて説明する。
まず、図１に基づいて屋根の大棟や隅棟等の棟部１１の概略構成を説明する。棟部１１は、左右両側の桟瓦１２の上面に、それぞれ複数枚ののし瓦１３が、モルタル、葺き土、発砲樹脂等の棟土材１４を用いた湿式工法で積み重ねられ、最上段ののし瓦１３の上に冠瓦１５が載せられている。この冠瓦１５は、銅線、ステンレス線等の金属線１６を用いて補強金具１７等に取り付けられた棟芯材１８に緊結されている。
【００１６】
図２に示すように、施工前ののし瓦１３の中央部の裏面側には、割り溝１９が該のし瓦１３のほぼ全長（又は全長よりも少し短い範囲）に亘って設けられ、のし瓦１３は、この割り溝１９に沿って左右に分割された状態で棟部１１に積み重ねられるようになっている。また、のし瓦１３の表面側の右側部と左側部には、それぞれ割り溝１９とほぼ平行方向に延びる表面側突部２０が断面略一定形状で該のし瓦１３のほぼ全長に亘って設けられ、のし瓦１３の裏面側の右側部と左側部には、それぞれ割り溝１９とほぼ平行方向に延びる裏面側突部２１が断面略一定形状で該のし瓦１３のほぼ全長に亘って設けられている。
【００１７】
図３に示すように、のし瓦１３は、分割された状態で棟部１１に積み重ねたときに、上側になるのし瓦１３の裏面側突部２１を下側になるのし瓦１３の表面側突部２０に係止させることで、棟部１１の外側方向への脱落やずれを防止できると共に、チリ幅Ｈ（上下ののし瓦１３の外側端面間の寸法）をほぼ一定寸法にできるようになっている。また、図１に示すように、のし瓦１３の棟部１１の内側方向へのずれは、モルタル、葺き土、発砲樹脂等の棟土材１４によって規制されるようになっている。更に、最上段ののし瓦１３の表面側突部２０により冠瓦１５の脱落やずれを防止できるようになっている。
【００１８】
また、図３に示すように、のし瓦１３は、表面側突部２０よりも外側の表面に対して内側の表面が高くなるように段差が設けられ、これに伴って、裏面側突部２１よりも外側の裏面に対して内側の裏面が高くなるように段差が設けられている。この場合、のし瓦１３の表面側突部２０を境にして設けた段差を水返しとして機能させることで、棟部１１の内部へ雨水等が浸入することを防止できるようにしている。
【００１９】
更に、表面側突部２０よりも内側で表面が高くなった部分を高さ調整部２２として利用して、のし瓦１３を棟部１１に積み重ねたときに、上側になるのし瓦１３の裏面側突部２１を下側になるのし瓦１３の表面側に設けた高さ調整部２２に当接させることで、積み重ねたのし瓦１３の平行度を確保できるようになっている。
【００２０】
また、図４に示すように、分割される前ののし瓦１３は、複数枚を重ねたときに、各のし瓦１３の表面側突部２０と裏面側突部２１が干渉しないような形状に形成されている。これにより、複数枚を重ねてテープ２３等で結束した製品梱包状態にしたときに、各のし瓦１３の表面側突部２０と裏面側突部２１が干渉して破損することを防止するようにしている。
【００２１】
以上説明した本実施例１では、のし瓦１３を棟部１１に積み重ねたときに、上側になるのし瓦１３の裏面側突部２１を下側になるのし瓦１３の表面側突部２０に係止させることで、地震や台風等によるのし瓦１３の脱落やずれを防止するようにしたので、防災性の高い施工を実現することができる。しかも、脱落防止用の突部２０，２１を断面略一定形状でのし瓦１３のほぼ全長に亘って設けるようにしたので、脱落防止用の突部を複数箇所に分けて設ける場合に比べて、のし瓦１３をプレス成形する成形型のキャビティ形状を簡単化することができ、成形不良の発生を低減して歩留まりを向上させることができる。更に、プレス成形前の押出成形で突部２０，２１の形状をある程度成形しておくことも可能となる。
【００２２】
また、一般に、棟部１１にのし瓦１３を積み重ねる際には、下側ののし瓦１３に対して上側ののし瓦１３を棟部１１と平行方向に全長寸法の半分ずつずらしながら積み重ねていくため、棟端部では積み重ねたのし瓦１３の端面を揃えるために、半分に切ったのし瓦１３を使用する必要がある。本実施例１ののし瓦１３は、脱落防止用の突部２０，２１を断面略一定形状でほぼ全長に亘って設けるため、のし瓦１３を半分に切った場合や半分以外の寸法に切った場合でも、脱落防止用の突部２０，２１を必ず残すことができ、脱落防止のために特段の細工を施す必要がないという利点もある。
【００２３】
更に、本実施例１では、のし瓦１３の表面側突部２０よりも外側の表面に対して内側の表面が高くなるように段差を設けるようにしたので、表面側突部２０をプレス成形するキャビティの片側の深さ寸法を浅くすることができて、成形材料（粘土等）が表面側突部２０を成形するキャビティの先端部に到達しやすくなり、のし瓦１３（表面側突部２０）の成形性を向上させることができる。しかも、のし瓦１３の表面側突部２０を境にして設けた段差を水返しとして機能させることで、防水性を向上させることができ、棟部１１内部のモルタル、葺き土、発砲樹脂等の棟土材１４が水によって洗い流されたり、劣化したりすることを防止することができる。
【００２４】
また、本実施例１では、のし瓦１３を棟部１１に積み重ねたときに、上側になるのし瓦１３の裏面側突部２１を下側になるのし瓦１３の表面側に設けた高さ調整部２２に当接させることで、積み重ねたのし瓦１３の平行度を確保するようにしたので、モルタル、葺き土、発砲樹脂等の棟土材１４で各のし瓦１３の平行度を調整する必要がなく、熟練者でなくても、積み重ねたのし瓦１３の平行度を簡単に確保することができ、のし瓦１３の施工を容易に行うことができる。
【００２５】
尚、本実施例１では、のし瓦１３の表面と裏面の両方に段差を設ける構成としたが、のし瓦１３の表面のみに段差を設ける構成としても良い。また、図５に示す変形例のように、のし瓦１３の表面と裏面のいずれにも段差を設けずに、のし瓦１３の表面側で表面側突部２０の内側に、高さ調整部２２を表面側突部２０に沿って延びるように設け、のし瓦１３を棟部１１に積み重ねたときに、上側になるのし瓦１３の裏面側突部２１を下側になるのし瓦１３の表面側に設けた高さ調整部２２に当接させることで、積み重ねたのし瓦１３の平行度を確保するようにしても良い。
【００２６】
以下、本発明の実施例２〜４を図６乃至図１１に基づいて説明する。但し、前記実施例１と実質的に同一部分には同一符号を付して説明を簡略化し、主として前記実施例１と異なる部分について説明する。
【実施例２】
【００２７】
上記実施例１では、のし瓦１３の表面側に高さ調整部２２を設けるようにしたが、本発明の実施例２では、図６に示すように、のし瓦２４の裏面側で裏面側突部２１の外側に、高さ調整部２５を裏面側突部２１に沿って延びるように設け、のし瓦２４を棟部１１に積み重ねたときに、下側になるのし瓦２４の表面側突部２０を上側になるのし瓦２４の裏面側に設けた高さ調整部２５に当接させることで、積み重ねたのし瓦２４の平行度を確保するようにしている。
【００２８】
更に、のし瓦２４の裏面側突部２１よりも外側の裏面に対して内側の裏面が低くなるように段差を設け、これに伴って、表面側突部２０よりも外側の表面に対して内側の表面が低くなるように段差を設けるようにしている。これにより、裏面側突部２１をプレス成形するキャビティの片側の深さ寸法を浅くすることができ、のし瓦２４（裏面側突部２１）の成形性を向上させることができる。
【００２９】
尚、本実施例２では、のし瓦２４の表面と裏面の両方に段差を設ける構成としたが、のし瓦２４の裏面のみに段差を設ける構成としても良い。また、図７に示す変形例のように、のし瓦２４の表面と裏面のいずれにも段差を設けない構成としても良い。
【実施例３】
【００３０】
上記各実施例１，２では、のし瓦の表面側又は裏面側に高さ調整部を設けるようにしたが、本発明の実施例３では、図８に示すように、高さ調整部を設けずに、のし瓦２６を棟部１１に積み重ねたときに、下側になるのし瓦２６の表面側突部２０を上側になるのし瓦２６の裏面に当接させることで、積み重ねたのし瓦２６の平行度を確保するようにしている。
【００３１】
更に、のし瓦２６の表面側突部２０よりも外側の表面に対して内側の表面が高くなるように段差を設け、これに伴って、裏面側突部２１よりも外側の裏面に対して内側の裏面が高くなるように段差を設けるようにしている。これにより、表面側突部２０をプレス成形するキャビティの片側の深さ寸法を浅くすることができ、のし瓦２６（表面側突部２０）の成形性を向上させることができると共に、のし瓦１３の表面側突部２０を境にして設けた段差を水返しとして機能させることで、防水性を向上させることができる。
【００３２】
尚、本実施例３では、のし瓦２６の表面と裏面の両方に段差を設ける構成としたが、のし瓦２６の表面のみに段差を設ける構成としたり、或は、のし瓦２６の表面と裏面のいずれにも段差を設けない構成としても良い。
【００３３】
また、図９に示す変形例のように、のし瓦２６の裏面側突部２１をのし瓦２６の内側端部まで延長して設けるようにしても良い。この場合、のし瓦２６の裏面のうちの内側部分全体を盛り上げることで裏面側突部２１を形成しても良いが、のし瓦２６の裏面のうちの外側部分全体を窪ませることで裏面側突部２１を形成しても良い。
【実施例４】
【００３４】
本発明の実施例４では、図１０に示すように、高さ調整部を設けずに、のし瓦２７を棟部１１に積み重ねたときに、上側になるのし瓦２７の裏面側突部２１を下側になるのし瓦２７の表面に当接させることで、積み重ねたのし瓦２７の平行度を確保するようにしている。
【００３５】
更に、のし瓦２７の裏面側突部２１よりも外側の裏面に対して内側の裏面が低くなるように段差を設け、これに伴って、表面側突部２０よりも外側の表面に対して内側の表面が低くなるように段差を設けるようにしている。これにより、裏面側突部２１をプレス成形するキャビティの片側の深さ寸法を浅くすることができ、のし瓦２７（裏面側突部２１）の成形性を向上させることができる。
【００３６】
尚、本実施例４では、のし瓦２７の表面と裏面の両方に段差を設ける構成としたが、のし瓦２７の裏面のみに段差を設ける構成としたり、或は、のし瓦２７の表面と裏面のいずれにも段差を設けない構成としても良い。
【００３７】
また、図１１に示す変形例のように、のし瓦２７の表面側突部２０をのし瓦２７の外側端部まで延長して設けるようにしても良い。この場合、のし瓦２７の表面のうちの外側部分全体を盛り上げることで表面側突部２０を形成しても良いが、のし瓦２７の表面のうちの内側部分全体を窪ませることで表面側突部２０を形成しても良い。
【００３８】
尚、上記各実施例１〜４では、表面側突部２０や裏面側突部２１を断面略一定形状でのし瓦のほぼ全長に亘って連続的に設けるようにしたが、表面側突部２０や裏面側突部２１を断続的に設けたり、表面側突部２０や裏面側突部２１の途中に切り欠き部を設けるようにしても良い。
【図面の簡単な説明】
【００３９】
【図１】本発明の実施例１における棟部の縦断面図である。
【図２】実施例１ののし瓦の外観斜視図である。
【図３】実施例１ののし瓦を積み重ねた状態を示す縦断面図である。
【図４】実施例１ののし瓦を梱包した状態を示す縦断面図である。
【図５】実施例１の変形例ののし瓦を積み重ねた状態を示す縦断面図である。
【図６】実施例２ののし瓦を積み重ねた状態を示す縦断面図である。
【図７】実施例２の変形例ののし瓦を積み重ねた状態を示す縦断面図である。
【図８】実施例３ののし瓦を積み重ねた状態を示す縦断面図である。
【図９】実施例３の変形例ののし瓦を積み重ねた状態を示す縦断面図である。
【図１０】実施例４ののし瓦を積み重ねた状態を示す縦断面図である。
【図１１】実施例４の変形例ののし瓦を積み重ねた状態を示す縦断面図である。
【符号の説明】
【００４０】
１１…棟部、１３…のし瓦、１４…棟土材、１５…冠瓦、２０…表面側突部、２１…裏面側突部、２２…高さ調整部、２４…のし瓦、２５…高さ調整部、２６…のし瓦、２７…のし瓦
【図１】
2007332561.tif 000003
【図２】
2007332561.tif 000004
【図３】
2007332561.tif 000005
【図４】
2007332561.tif 000006
【図５】
2007332561.tif 000007
【図６】
2007332561.tif 000008
【図７】
2007332561.tif 000009
【図８】
2007332561.tif 000010
【図９】
2007332561.tif 000011
【図１０】
2007332561.tif 000012
【図１１】
2007332561.tif 000013